【手続補正書】
【提出日】平成25年2月15日(2013.2.15)
【手続補正１】
【補正対象書類名】特許請求の範囲
【補正対象項目名】全文
【補正方法】変更
【補正の内容】
【特許請求の範囲】
【請求項１】
コンピュータが読取り可能な電子データベース中の特定のエンティティについての位置特定コンテンツを自動的に発生する方法であって、該特定のエンティティは未決定の複数の物理的位置を有しており、
前記複数の未決定の物理的位置を有する前記特定のエンティティに関連付けられた識別データを含むデータベース・エントリを検索するステップと、
前記特定のエンティティに関連付けられた前記識別データを様々なオンライン・コンテンツ中に含まれた同一の識別データに一致させることによって、前記複数の未決定の物理的位置を有する前記特定のエンティティについての前記様々なオンライン・コンテンツ中の識別データを検索するステップと、
前記特定のエンティティについての複数の未決定の物理的位置に対して一致した前記オンライン・コンテンツから、前記位置特定コンテンツを決定し、前記位置特定コンテンツから、前記特定のエンティティについての複数の物理的位置を決定するステップと、
コンピュータが読取り可能な電子データベースに、前記特定のエンティティに関連付けられた１つ以上のキーワードに関連した複数の決定した物理的位置についての前記位置特定コンテンツを記憶するステップと
を含んでなる方法。
【請求項２】
前記特定のエンティティに関連付けられた前記識別データは、前記特定エンティティの名前又は前記特定エンティティに関連したウェブ・サイトのユニフォーム・リソース・ロケータ（ＵＲＬ）を含むものである請求項１に記載の方法。
【請求項３】
前記様々なオンライン・コンテンツ中の識別データを検索するステップは、店舗リスト用データ・フィード、ウェブ・サイト、又はデータ・ファイルの少なくとも１つを検索するものである請求項１に記載の方法。
【請求項４】
前記位置特定コンテンツを記憶するステップは、前記特定のエンティティについて決定した複数の物理的位置のそれぞれに関連した１つ以上の細部を記憶するステップを含み、決定した所定の物理的位置に関連した前記細部が、前記物理的位置の写真、前記物理的位置の営業時間、前記物理的位置の電話番号、前記物理的位置のウェブ・サイトのＵＲＬ、及び前記物理的位置の属性を示すアイコンから構成するグループから選択されるものである請求項１に記載の方法。
【請求項５】
複数の物理的位置を有する特定のエンティティについての位置特定コンテンツを自動的に決定して提供する方法であって、
前記特定のエンティティに関連付けられた識別データを様々なオンライン・コンテンツ中に含まれた同一の識別データに一致させることによって、前記様々なオンライン・コンテンツ内にある複数の未決定の物理的位置を有する前記特定のエンティティに関連付けられた前記識別データを検索するステップと、
前記特定のエンティティについての複数の未決定の物理的位置を自動的に決定し、一致した前記オンライン・コンテンツから前記特定のエンティティについての前記位置特定コンテンツを決定するステップと、
前記特定のエンティティに関連付けられた１つ以上のキーワードに対応する、前記複数の未決定の物理的位置のそれぞれについての前記位置特定コンテンツをデータベースに記憶するステップと、
少なくとも１つのキーワード及び検索位置を含むユーザ入力によるクエリーを、ユーザ端末からネットワークを介して受け取るステップと、
前記検索位置に近い前記特定のエンティティの１つ以上の決定した前記物理的位置に関する前記物理的位置の前記位置特定コンテンツについて前記データベースを検索するステップと、
前記検索位置を含む領域の地図を発生するステップと、
前記地図に対するオーバーレイ層を発生するステップであって、該オーバーレイ層が、前記地図の領域内に存在する前記物理的位置において前記地図をオーバーレイするように配置される１つ以上のマーカを有するものである、発生するステップと、
前記地図に対する別のオーバーレイ層を発生するステップであって、前記地図が、前記地図の領域内に存在する１つ以上の決定した前記物理的位置のリストを含むものである、発生するステップと、
少なくとも前記地図を、ディスプレイ画面上で表示するために、ネットワークを介してユーザ端末に送信するステップと
を含んでなる方法。
【請求項６】
前記オーバーレイ層の１つ以上のマーカは、前記特定のエンティティに関連付けられたアイコン又は前記特定エンティティのウェブ・サイトに関連付けられたファビコンでありうる請求項５に記載の方法。
【請求項７】
前記送信するステップは、前記地図及びオーバーレイ層が前記ディスプレイ画面上に最初に同時に表示されるように、前記地図と一緒に前記オーバーレイ層を送信することを含む請求項５に記載の方法。
【請求項８】
前記オーバーレイ層の表示をオン又はオフに切り換えるように動作できるユーザ・インターフェース要素を、前記ディスプレイ画面上にさらに設けている請求項５に記載の方法。
【請求項９】
前記特定エンティティに対してコンテンツを発生するステップをさらに含み、前記送信するステップは、前記地図及びコンテンツが前記ディスプレイ画面の異なる領域に同時に示されるように、前記地図と一緒に前記コンテンツを送信することを含む請求項５に記載の方法。
【請求項１０】
前記地図の領域内に存在する１つ以上の物理的位置のリストを発生するステップをさらに含み、前記リストは、それぞれの列挙された物理的位置に関連した１つ以上の細部を含み、前記細部は、前記物理的位置のアドレス、前記物理的位置の写真、前記物理的位置の営業時間、前記物理的位置の電話番号、前記物理的位置のウェブ・サイトのＵＲＬ、及び前記物理的位置の属性を示すアイコンから成るグループから選択されるものである請求項５に記載の方法。
【請求項１１】
前記送信するステップは、前記地図及びリストが前記ディスプレイ画面の異なる領域に最初に同時に表示されるように、前記地図と一緒に前記リストを含む前記別のオーバーレイ層を送信することを含む請求項１０に記載の方法。
【請求項１２】
前記オーバーレイ層のそれぞれのマーカは、その物理的位置に対して固有のものであり、前記物理的位置のリストは、前記それぞれの物理的位置に対して、その物理的位置をオーバーレイするマーカを含む請求項１０に記載の方法。
【請求項１３】
前記別のオーバーレイ層の表示をオンに切り換えるように動作することができるユーザ・インターフェース要素を、前記地図と一緒に前記ディスプレイ画面上に設けるステップをさらに含み、前記別のオーバーレイ層は、地図の少なくとも一部を不明瞭にするものである請求項１０に記載の方法。
【請求項１４】
前記別のオーバーレイ層の表示をオフに切り換えるように動作できるユーザ・インターフェース要素を、前記別のオーバーレイ層と一緒に前記ディスプレイ画面上に設けるステップをさらに含む請求項１３に記載の方法。
【請求項１５】
コンピュータが読取り可能な電子データベース中の特定のエンティティについての位置特定情報を自動的に発生するシステムであって、該特定のエンティティは複数の未決定の物理的位置を有しており、
コンピュータが読取り可能な電子データベースを記憶しているメモリとプロセッサとを備えてなり、
該プロセッサは、
前記複数の未決定の物理的位置を有する特定のエンティティに関連した識別データを含むデータベース・エントリを検索し、
前記特定のエンティティに関連付けられた前記識別データをオンライン・コンテンツ中に含まれた同一の識別データに一致させることによって、前記複数の未決定の物理的位置を有する前記特定のエンティティについての前記オンライン・コンテンツ中の識別データを検索し、
一致した前記オンライン・コンテンツから前記特定のエンティティについての複数の物理的位置を自動的に決定し、
一致した前記オンライン・コンテンツから前記特定のエンティティに関する決定した前記複数の物理的位置のそれぞれについての前記位置特定コンテンツを自動的に決定し、
コンピュータが読取り可能な電子データベースに、前記特定のエンティティに関連付けられた１つ以上のキーワードに関する決定した前記複数の物理的位置のそれぞれについての位置特定情報を記憶させることを特徴とするシステム。
【請求項１６】
前記特定のエンティティに関連付けられた前記識別データは、前記特定エンティティの名前又前記は特定エンティティに関連したウェブ・サイトのユニフォーム・リソース・ロケータ（ＵＲＬ）を含むものである請求項１５に記載のシステム。
【請求項１７】
前記プロセッサは、店舗リスト用データ・フィード、ウェブ・サイト、又はデータ・ファイルの少なくとも１つを検索するように動作可能である請求項１５に記載のシステム。
【請求項１８】
記憶した前記位置特定情報は、前記特定のエンティティについての決定した前記複数の物理的位置において所定の決定した物理的位置に関連した１つ以上の細部を含み、前記細部が、前記物理的位置の写真、前記物理的位置の営業時間、前記物理的位置の電話番号、前記物理的位置のウェブ・サイトのＵＲＬ、及び前記物理的位置の属性を示すアイコンから構成するグループから選択される請求項１５に記載のシステム。
【請求項１９】
複数の未決定の物理的位置を有する特定のエンティティについての位置特定コンテンツを自動的に決定して提供するシステムであって、
コンピュータが読取り可能な電子データベースを記憶しているメモリとプロセッサとを含むサーバを備えてなり、
該プロセッサは、
前記複数の未決定の物理的位置を有する特定のエンティティに関連した識別データを含むデータベース・エントリを、前記識別データを様々なオンライン・コンテンツ中に含まれた同一の識別データに一致させることによって検索し、
一致した前記オンライン・コンテンツから前記特定のエンティティについての複数の物理的位置及び前記位置特定コンテンツを自動的に決定し、
前記特定のエンティティに関連付けられた１つ以上のキーワードに対応する決定した前記複数の物理的位置のそれぞれについての前記位置特定コンテンツを前記データベースに記憶させ、
少なくとも１つのキーワードと検索位置とを含むユーザ入力によるクエリーをユーザ端末からネットワークを介して受け取り、
前記検索位置に近い決定した前記複数の物理的位置のうちの１つ以上の物理的位置の位置特定コンテンツについてデータベースを検索し、前記検索位置を含む領域の地図を発生し、
前記地図に対するオーバーレイ層を発生し、該オーバーレイ層が１つ以上のマーカを有しており、該マーカが前記地図の領域内に存在する決定した前記複数の物理的位置のうちの１つ以上の物理的位置で前記地図をオーバーレイするように配置されており、
前記地図についての別のオーバーレイ層を発生し、該別のオーバーレイ層が前記地図の領域内に存在する決定した前記複数の物理的位置のうちの１つ以上の物理的位置のリストを含むものであり、
ディスプレイ画面上への表示のために、ネットワークを経由して前記ユーザ端末に少なくとも前記地図を送信することを特徴とするシステム。
【請求項２０】
前記オーバーレイ層の１つ以上のマーカは、前記特定のエンティティに関連付けられたアイコン又は前記特定エンティティのウェブ・サイトに関連付けられたファビコンである請求項１９に記載のシステム。
【請求項２１】
前記プロセッサは、前記地図及びオーバーレイ層が前記ディスプレイ画面上に最初に同時に表示されるように、前記地図と一緒に前記オーバーレイ層を送信するように動作できる請求項１９に記載のシステム。
【請求項２２】
前記プロセッサは、前記オーバーレイ層の表示をオン又はオフに切り換えることができるユーザ・インターフェース要素を、前記ディスプレイ画面上に表示するために、ユーザ端末に送信するように動作できる請求項１９に記載のシステム。
【請求項２３】
前記プロセッサは、前記特定のエンティティに対してコンテンツを発生させるものであり、前記送信することは、前記地図及びコンテンツが前記ディスプレイ画面の異なる領域に同時に表示されるように、前記地図と共にコンテンツを送信することを含む請求項１９に記載のシステム。
【請求項２４】
決定した前記複数の物理的位置のうちの１つ以上の物理的位置についてのリストは、それぞれの列挙された物理的位置に関連した１つ以上の細部を含み、前記細部は、前記物理的位置のアドレス、前記物理的位置の写真、前記物理的位置の営業時間、前記物理的位置の電話番号、前記物理的位置のウェブ・サイトのＵＲＬ、及び前記物理的位置の属性を示すアイコンから成るグループから選択される請求項１９に記載のシステム。
【請求項２５】
前記プロセッサは、前記地図及びリストが前記ディスプレイ画面の異なる領域に最初に同時に表示されるように、前記地図と一緒に前記リストを含む前記別のオーバーレイ層を送信させるものである請求項２４に記載のシステム。
【請求項２６】
前記オーバーレイ層のそれぞれのマーカは、前記物理的位置に対して固有のものであり、決定した前記複数の物理的位置のうちの１つ以上の物理的位置のリストは、それぞれの決定した物理的位置に対して、前記物理的位置をオーバーレイするマーカを含む請求項２４に記載のシステム。
【請求項２７】
前記プロセッサは、前記別のオーバーレイ層の表示をオンに切り換えることができるユーザ・インターフェー要素を、前記地図と一緒に前記ディスプレイ画面上に表示するために、前記ユーザ端末にさらに提供するものであり、前記別のオーバーレイ層は、前記地図の少なくとも一部を不明瞭にするものである請求項２５に記載のシステム。
【請求項２８】
前記プロセッサは、前記別のオーバーレイ層の表示をオフに切り換えることができるユーザ・インターフェース要素を、前記別のオーバーレイ層と一緒に前記ディスプレイ画面上に表示するために、前記ユーザ端末にさらに提供するものである請求項２７に記載のシステム。